(57)【要約】【課題】必要に即して、帯状フィルムのセット方法を容易に参照し得るようにする。【解決手段】制御手段２２の記憶手段２４は、帯状フィルムの巻掛け手順を示す図形データ、フィルム装着を促す文字データ等を記憶している。制御手段２２は、フィルム移送経路に配設したフィルム終了検知手段２０からのフィルム終了信号が入力されると、文字データを記憶手段２４から読み出し、表示手段２６に文字情報を自動的に表示する。そして所定時間遅延してから、制御手段２２は図形データを記憶手段２４から読み出し、表示手段２６に図形情報を自動的に表示する。従って、オペレーターは、フィルム装填部に装填したフィルムロールから引き出した帯状フィルムを、図形情報に従って複数のガイドローラに適確に巻掛け案内するようセットし得る。【選択図】図４
2006219187.tif 000002
【特許請求の範囲】
【請求項１】
フィルム装填部(14)に装填したフィルムロール(12)から繰り出された帯状フィルム(10)が、複数のガイドローラ(16)に巻掛け案内されて製袋手段(18)に供給される横型製袋充填機において、
前記フィルム装填部(14)から製袋手段(18)へ至る帯状フィルム(10)の巻掛け状態を示す図形データその他の案内情報に関するデータを記憶する記憶手段(24)と、
前記帯状フィルム(10)の終了を検知するフィルム終了検知手段(20)からのフィルム終了信号または包装品種を選択する品種切換手段(28)からの品種切換信号が入力されることで、前記図形データを前記記憶手段(24)から読み出して、表示手段(26)に図形情報を表示させる制御手段(22)とを備える
ことを特徴とする横型製袋充填機の操作表示装置。
【請求項２】
前記制御手段(22)は、前記表示手段(26)での図形情報の表示前に、フィルム装着を促す文字情報を表示手段(26)に表示するための信号を出力する請求項１記載の横型製袋充填機の操作表示装置。
【請求項３】
前記フィルム終了信号または品種切換信号の入力に対し、前記表示手段(26)による情報表示を非表示とする表示選択手段(32)を備えている請求項１または２記載の横型製袋充填機の操作表示装置。
【請求項４】
前記制御手段(22)は、前記表示手段(26)に前記文字情報を表示する信号を出力した後、所定時間遅延して前記図形情報の表示信号を出力するよう設定される請求項２記載の横型製袋充填機の操作表示装置。
【請求項５】
前記制御手段(22)には、前記表示手段(26)での情報表示と共に、前記記憶手段(24)から読み出した音声データに基づく音声ガイドを出力する音声出力手段(30)が接続される請求項１〜４の何れかに記載の横型製袋充填機の操作表示装置。
【請求項６】
前記制御手段(22)は、操作手段(27)による次の操作信号の入力により、前記表示手段(26)の情報表示を終了するよう設定される請求項１〜５の何れかに記載の横型製袋充填機の操作表示装置。
【発明の詳細な説明】
【技術分野】
【０００１】
この発明は、フィルム装填部から製袋手段へ至る帯状フィルムの巻掛け状態を示す図形情報を、表示手段に自動表示し得る横型製袋充填機の操作表示装置に関するものである。
【背景技術】
【０００２】
横型製袋充填機では、合成樹脂等からなる帯状フィルムを包装用原反として巻取ったフィルムロールから繰り出した筒状フィルムを筒状に成形すると共に、この筒状フィルム中に物品を充填することで、ピロー包装体が製造される。横型製袋充填機での包装のための準備作業として、前記フィルムロールをフィルム供給機構のロール支持手段に装填したもとで、フィルムロールから帯状フィルムを引き出して、決められたフィルム移送経路に従って複数のガイドローラに巻掛け案内した後、帯状フィルムを筒状に成形する製袋手段に至るようにセットされる。このようなフィルム供給機構に帯状フィルムをセットする作業は、オペレーターがフィルム供給機構の所定位置に取付けられた表示板に印刷された図を逐次参照しつつ手作業で実施している。
【０００３】
なお、特許文献１の如く、操作マニュアルを表示できる表示手段を備えた包装装置も提案されている。
【特許文献１】特開平９−２４８０号公報
【発明の開示】
【発明が解決しようとする課題】
【０００４】
前記フィルム供給機構のフィルム移送経路は、機械構成やユーザーの仕様によりガイドローラの数や位置が異なり、前記表示板は対応して数十種類のものを用意する必要があるため、コストが増大する難点がある。また表示板は、その貼付け場所によっては、オペレーターには見難かったり、経時的に汚損等することで視認性が悪化したりする問題もある。更に、不慣れなオペレーターにおいては、表示板自体の存在を知らなかったり、表示板に印刷されている図が何を意味しているのか分からないと云う難点も指摘される。
【０００５】
また、特許文献１に開示の包装装置の表示手段は、異常を検知して対処用のマニュアルをモニタに表示し得るものの、通常時における操作手順については、ユーザが必要とする操作方法について、その都度モニタにマニュアルを表示させる操作を行なう必要があり、手間が掛かると共に、不慣れなオペレーターではマニュアルの表示手順を知らない場合が多く、必要なときにタイムリーに操作案内を確認することができない難点がある。
【０００６】
すなわちこの発明は、従来の技術に係る前記課題に鑑み、これらを好適に解決するべく提案されたものであって、必要に即して、帯状フィルムのセット方法を容易に参照し得る横型製袋充填機の操作表示装置を提供することを目的とする。
【課題を解決するための手段】
【０００７】
前記課題を克服し、所期の目的を達成するため、本発明に係る横型製袋充填機の操作表示装置は、
フィルム装填部に装填したフィルムロールから繰り出された帯状フィルムが、複数のガイドローラに巻掛け案内されて製袋手段に供給される横型製袋充填機において、
前記フィルム装填部から製袋手段へ至る帯状フィルムの巻掛け状態を示す図形データその他の案内情報に関するデータを記憶する記憶手段と、
前記帯状フィルムの終了を検知するフィルム終了検知手段からのフィルム終了信号または包装品種を選択する品種切換手段からの品種切換信号が入力されることで、前記図形データを前記記憶手段から読み出して、表示手段に図形情報を表示させる制御手段とを備えることを特徴とする。
【発明の効果】
【０００８】
請求項１に係る発明の横型製袋充填機の操作表示装置によれば、フィルム終了信号または品種切換信号の入力があったときに、帯状フィルムの巻掛け状態を示す図形情報を表示手段に表示するよう設定したから、別段の操作を伴うことなく表示手段にタイムリーに案内情報が表示され、不慣れなオペレーターであってもフィルムのセットを適確に実施し得る。また、仕様に応じた図形データを記憶手段に記憶させることができるから、仕様毎に異なる表示板を製作する手間を省くことができる。請求項２に係る発明によれば、図形情報の表示前に、表示手段にフィルム装着を促す文字情報を表示するよう設定したから、オペレーターの注意を好適に喚起し得る。
【０００９】
請求項３に係る発明によれば、図形や文字の情報表示について、表示選択手段により自動表示の有無を予め設定し得るので、オペレーターの操作の習熟度に応じて、情報表示をしなくすることもできる。請求項４に係る発明によれば、文字情報の表示後、所定時間遅延させて図形情報を表示手段に表示するように設定したから、別段の操作を伴わず、必要とする情報を表示し得る。請求項５に係る発明によれば、図形または文字情報の表示に合わせて、音声ガイドを出力することで、フィルム装着に際してオペレーターへの操作案内をより明確なものとすることができる。請求項６に係る発明によれば、例えば帯状フィルムの巻掛け案内後、横型製袋充填機の起動ボタンを押す等の次の操作信号の入力で、特段の表示終了操作を行なうことなく表示手段に表示されている図形情報等に関する表示を終了し得るので、オペレーターは表示手段の表示終了を意識することなく次の所望の操作を実施できる。
【発明を実施するための最良の形態】
【００１０】
次に、本発明に係る横型製袋充填機の操作表示装置につき、好適な実施例を挙げて、添付図面を参照して以下に説明する。
【実施例】
【００１１】
図１に示す実施例に係る横型製袋充填機では、包装する物品に対応する帯状フィルム１０を所要直径で巻回したフィルムロール１２がフィルム装填部１４に装填され、フィルムロール１２から繰り出された帯状フィルム１０は、複数のガイドローラ１６に巻掛け案内されて製袋手段１８に供給される。そして、製袋手段１８を通過して得られた筒状フィルムに、上流側から物品が供給されると共に連続的にセンターシールが施された後、所定間隔で物品が充填された筒状フィルムにおける物品を挟む前後で、エンドシール・切断が施されるようになっている。なお、横型製袋充填機では、包装のための準備作業として、フィルム装填部１４および複数のガイドローラ１６からなるフィルム供給機構へのフィルムセット作業が必要とされている。すなわち、フィルムロール１２をフィルム装填部１４に装填したもとで、フィルムロール１２から引き出した帯状フィルム１０を、図２に示すように、複数のガイドローラ１６に順次巻掛け案内して製袋手段１８に至るように人手によりセットされるようになっている。
【００１２】
横型製袋充填機には、前記フィルムロール１２に巻回した帯状フィルム１０の終了を監視するため、フィルムロール１２から繰り出された帯状フィルム１０が製袋手段１８へ至る間のフィルム移送経路に、帯状フィルム１０の終端を検知する各種のマイクロスイッチや光電センサ等からなるフィルム終了検知手段２０が配設され(図２参照)、該検知手段２０の検知信号(フィルム終了信号)が制御手段２２に入力されるよう構成される。
【００１３】
前記制御手段２２は、図３に示す如く、包装される品種毎に横型製袋充填機の各種作動機構の制御データが記憶されると共に、フィルム装填部１４に装填したフィルムロール１２から引き出した帯状フィルム１０を、決められたフィルム移送経路に従って複数のガイドローラ１６に順次巻掛けた後、前記製袋手段１８へ至るようにセットする手順を示す図形データ、フィルム装着を促す文字データ、帯状フィルム１０の巻掛け手順やフィルム装着を促す音声データ等、帯状フィルム１０をフィルム供給機構にセットする際に、オペレーターを補助する各種案内情報のデータを記憶する記憶手段２４を有している。また制御手段２２には、例えばタッチパネルディスプレイのような、運転状況や各種設定条件等を表示する表示手段２６および画面上に表示されたスイッチに触れることで操作または設定の変更等を実施し得る操作手段２７が接続されている。この操作手段２７では、包装する物品の品種を選択する品種切換スイッチ等の品種切換手段２８を画面上に表示し得るよう構成され、該品種切換手段２８によって所望の品種の選択を行なうことで、制御手段２２に品種切換信号が入力されるようになっている。なお、品種切換えは、操作手段２７に表示した品種設定画面上で、実際の品種名を入力したり、予め品種毎に付した品種番号や記号、絵文字等を入力する方法を採用可能である。更に制御手段２２には、前記音声データに基づく音声ガイドを出力する音声出力手段としてのスピーカ３０、および前記フィルム終了検知手段２０が接続してある。
【００１４】
前記制御手段２２は、前記フィルム終了検知手段２０からのフィルム終了信号または品種切換手段２８からの品種切換信号が入力されたとき、すなわち新しいフィルムロール１２あるいは別種のフィルムロール１２をフィルム供給機構にセットする必要が生じたときには、前記記憶手段２４から図形データを読み出して、前記表示手段２６に図形情報を表示するよう設定されている。この図形情報としては、例えば図５に示す如く、フィルムロール１２から複数のガイドローラ１６を経て製袋手段１８に至る簡略図を表示すると共に、該図においてフィルムロール１２から引き出された帯状フィルム１０の巻掛け順を示す番号が各ガイドローラ１６に付されるようにすることが好ましい。なお、包装運転中にフィルムロール１２から繰り出される帯状フィルム１０が終端部に至ったとき、あるいは異なる品種でフィルム交換のためにフィルム移送経路からフィルムが取り除かれ、前記フィルム終了検知手段２０が検知状態となり、フィルム終了信号が制御手段２２に入力された際には、図形情報の表示前に、制御手段２２は文字情報を表示する信号を出力し、例えば「フィルムをセットして下さい。」等のフィルム装着を促す文字情報を表示した後、所定時間(数秒)遅延して制御手段２２は図形情報を表示する信号を出力して、前記図形情報を表示手段２６に表示させるよう設定してある。制御手段２２による情報表示の遅延時間は、該制御手段２２におけるＣＰＵから発信されるクロックパルスをカウントする計時手段からなるソフトウェア的な手段により任意に設定し得る。
【００１５】
また前記制御手段２２は、前記表示手段２６に図形情報を表示したときには、前記記憶手段２４から帯状フィルム１０の巻掛け手順を音声で指示するための音声データを読み出し、このデータに基づく音声ガイドを前記スピーカ３０から出力するようにすれば、オペレーターへの報知をより確実なものとすることができる。
【００１６】
前記操作手段２７では、制御手段２２へのフィルム終了信号または品種切換信号の入力に対し、情報表示を非表示とするための表示選択スイッチ等の表示選択手段３２が表示されるようになっている。すなわち、表示選択手段３２を操作して案内情報の自動表示をＯＦＦに切換えることで、制御手段２２は以後の情報表示を行なわないようにし得る。
【００１７】
前記制御手段２２は、オペレーターがフィルム装着の完了後、次に操作手段２７に表示されている何れかのスイッチを操作したり、操作手段２７の画面に単に触れたり、あるいは横型製袋充填機における各作動機構の初期位置合わせ運転の運転開始スイッチ操作等の適宜操作によって、次の操作信号が制御手段２２に入力されたときに、前記情報表示を自動終了するよう設定されている。すなわち、実施例の操作表示装置では、情報表示を終了するために特段の操作を行なうことなく、表示手段２６に図形情報が表示されている状態で、案内情報の表示には関連のない適宜操作による操作信号の制御手段２２への入力によって情報表示を自動終了するようにしてある。
【００１８】
〔実施例の作用〕
次に、実施例に係る横型製袋充填機の操作表示装置の作用について、図４に示す案内情報の表示に関するフローチャート図を参照して説明する。前記制御手段２２は、図４の制御フローに従って、先ずステップＳ１において案内情報の自動表示がＯＮであるか否かを判定する。前記表示選択手段３２による情報表示を非表示とする切換操作がなされておらず、案内情報の自動表示がＯＮとなっていれば、ステップＳ１は肯定されて、フィルム終了信号または品種切換信号の有無が判定される(ステップＳ２,ステップＳ６)。なお、表示選択手段３２の操作により案内情報の自動表示がＯＦＦとなっていれば、ステップＳ１は否定され、フィルム終了信号または品種切換信号の有無を判定することなくステップＳ８に移行し、情報表示のための制御フローを終了する。
【００１９】
ステップＳ２において前記フィルム装填部１４に装填されているフィルムロール１２の帯状フィルム１０が使い尽くされ、前記フィルム終了検知手段２０でフィルム終端が検知され、フィルム終了信号が制御手段２２に入力されると、ステップＳ３に移行し、制御手段２２は文字データを前記記憶手段２４から読み出し、前記表示手段２６に「フィルムをセットして下さい。」等の文字情報を自動的に表示する。これにより、新しいフィルムロール１２をセットすることに対するオペレーターの注意を好適に喚起し得る。
【００２０】
前記文字情報を表示した後、計時手段でＣＰＵから発信されるクロックパルスをカウントし、所定時間遅延(ステップＳ４)してから、ステップ５に移行し、前記制御手段２２は図形データを前記記憶手段２４から読み出し、前記表示手段２６に図形情報を自動的に表示する。すなわち、表示手段２６には、図５に示す如く、フィルムロール１２から複数のガイドローラ１６を経て製袋手段１８に至る簡略図が表示されるから、前記フィルム装填部１４にフィルムロール１２を装填したもとで、オペレーターはフィルムロール１２から引き出した帯状フィルム１０を、表示手段２６に表示されている図形情報に従って複数のガイドローラ１６に適確に巻掛け案内して製袋手段１８に至るようにセットすることができる。
【００２１】
そして、帯状フィルム１０のセット完了後、前述したようにオペレーターが適宜の操作を行なうことによって次の操作信号が前記制御手段２２に入力されると、該制御手段２２は表示手段２６への案内情報の表示を自動的に終了する。すなわち、オペレーターは、案内情報の表示を終了するための特段の操作を行なう必要はないから、オペレーターは表示終了を意識することなく所望の操作を実施し得る。
【００２２】
また、異なる包装品種に切換設定するに際して、前記操作手段２７で品種切換手段２８を表示し、該切換手段２８による品種選択が行なわれ(ステップＳ６)、ステップＳ７において操作手段２７によって品種切換え後の決定操作を行なうことで通常画面に戻ると共に前記制御手段２２に品種切換信号が入力される。そして、計時手段でＣＰＵから発信されるクロックパルスをカウントし、所定時間遅延(ステップＳ４)してから、ステップＳ５に移行し、前記制御手段２２は図形データを前記記憶手段２４から読み出し、前記表示手段２６に図形情報を自動表示する。この場合においても、前述したと同様に、オペレーターは帯状フィルム１０を、表示手段２６に表示された図形情報に従って複数のガイドローラ１６を経て製袋手段１８へ的確に導き案内し得る。なお、文字情報または図形情報の表示に併せて、あるいはそれらの両表示に併せて、前記制御手段２２が、音声データを前記記憶手段２４から読み出し、前記スピーカ３０から音声ガイドを出力するようにすれば、オペレーターへの操作案内をより明確なものとすることができる。
【００２３】
前述したように操作表示装置では、フィルム終了信号または品種切換信号が制御手段２２に入力されたときに、特段の操作を伴うことなく表示手段２６に帯状フィルム１０の巻掛け状態を示す図形情報を自動表示するので、不慣れなオペレーターであっても、タイムリーに図形情報を確認して帯状フィルム１０の装着を的確に実施し得る。また案内情報は、横型製袋充填機においてオペレーターから視認し易い場所に設置されている表示手段２６に表示されるので、オペレーターが案内情報を参照し易く、帯状フィルム１０の巻掛け作業性が向上する。更には、横型製袋充填機の仕様に応じた図形データ(図６参照)を記憶手段２４に記憶させることができるから、仕様毎に異なる表示板を製作する手間を省くことができる。
【００２４】
また実施例の操作表示装置では、前記表示選択手段３２を操作して自動表示をＯＦＦしておくことで(ステップＳ１で否定)、情報表示を非表示とすることができるから、オペレーターの習熟度に応じて情報表示の有無を選択して、ユーザーの利便性を向上し得る。
【００２５】
(変更例)
本願は前述した実施例の構成に限定されるものでなく、その他の構成を適宜に採用することができる。
１．実施例では、表示手段２６として操作手段２７を兼用するタッチパネルディスプレイを採用したが、表示手段２６は、キーボード等の操作手段２７とは独立した液晶ディスプレイ、ＣＲＴ、ＰＤＰ等、その他の手段を採用し得る。
２．実施例では、品種切換手段２８や表示選択手段３２を表示手段２６の画面上に表示するようにしたが、両手段を操作スイッチ、キーボード等として別に設けるようにしてもよい。
３．実施例では、フィルム移送途上に設けたフィルム終了検知手段２０は、帯状フィルム１０の終端を検知しフィルム終了信号を制御手段２２に出力するようにしたが、フィルムロール１２に巻回されている帯状フィルム１０の巻き径から帯状フィルム１０の終了時期を演算することでフィルム終了信号を出力する構成、その他の各種構成を採用し得る。
４．表示手段２６に表示させる図形情報として、帯状フィルム１０の巻掛け案内方向に順次移動するかの如く巻掛け案内方向に向けて色彩が変化する態様、矢印を表示して、この矢印が順次巻掛け案内方向へ向けて移動するように表示を変化させる態様等を採用すると、オペレーターの理解を助ける上で一層有効である。
５．実施例では、文字情報の表示後に、所定時間遅延して図形情報を表示するようにしたが、文字情報と図形情報とを同時に表示するようにしてもよい。また文字情報の表示に併せて、フィルム装着を促す音声ガイドをスピーカ３０から同時に出力することが可能である。
６．実施例では、フィルム終了信号が制御手段２２に入力されたときにのみ、図形情報の表示前に文字情報を表示するようにしたが、品種切換信号の入力の際にも同様に文字情報を表示するようにしてもよい。
７．表示手段２６による文字情報の表示については、表示手段２６のＣＰＵで記憶した文字列を画面に表示したり、あるいは表示手段２６が文字コードデータを受け取ると対応する文字を画面に表示する等、各種態様を採用し得る。
８．包装仕様に応じた各種型式に対応する複数種の図形データを記憶手段２４に記憶させ、操作手段２７によって選定された機械型式に対応する図形データを記憶手段２４から出力させるようにしてもよい。この場合は、その都度図形データを作成、記憶させる必要がなくなり、機械製造時における汎用性が高まる。
９．図形情報で表示する簡略図において、ガイドローラ１６への帯状フィルム１０の巻掛け順を示す番号は省略できる。
【図面の簡単な説明】
【００２６】
【図１】本発明の好適な実施例に係る横型製袋充填機を示す正面図である。
【図２】実施例の横型製袋充填機におけるフィルム供給機構を示す部分拡大図である。
【図３】実施例の操作表示装置の制御ブロック図である。
【図４】実施例の操作表示装置での制御フローを示すフローチャート図である。
【図５】実施例の表示手段に表示される図形情報を示す説明図である。
【図６】実施例の表示手段に表示される別仕様の図形情報を示す説明図である。
【符号の説明】
【００２７】
１０ 帯状フィルム，１２ フィルムロール，１４ フィルム装填部
１６ ガイドローラ，１８ 製袋手段，２０ フィルム終了検知手段，２２ 制御手段
２４ 記憶手段，２６ 表示手段，２７ 操作手段，２８ 品種切換手段
３０ スピーカ(音声出力手段)，３２ 表示選択手段
【図１】
2006219187.tif 000003
【図２】
2006219187.tif 000004
【図３】
2006219187.tif 000005
【図４】
2006219187.tif 000006
【図５】
2006219187.tif 000007
【図６】
2006219187.tif 000008